(57)【特許請求の範囲】
【請求項１】
所定の情報を表示させる表示部と、
前記表示部の裏面に隣接し前記表示部に向けて拡散光を導出する凹状のパターン、凸状のパターン、又はそれらを組み合わせたパターンが設けられた導光部と、
前記導光部の側面に隣接し前記導光部に向けて光を照射する光源が配設された光源部とをそれぞれ収納する筐体部を有し、
前記筐体部は、
前記導光部及び前記光源部を固定して収納する第１の収納手段と、
弾性手段を備えたフレームの一端が前記第１の収納手段に回動可能に係合し且つ前記フレームの他端が前記表示部の外周を着脱可能に付勢して収納する第２の収納手段と、
から成り、
前記第１の収納手段は、前記導光部を挟み込んで収納する支持部材及び付勢部材からなり、前記支持部材及び付勢部材は固定部材により接合されており、前記第２の収納手段の前記第１の収納手段に対する回動中心は、前記固定部材の近傍に設けられていること
を特徴とする情報表示用照明装置。
【請求項２】
前記第１の収納手段において、前記付勢部材は、前記導光部の外周部を付勢するように内部が開口し縁を有する矩形状の枠で形成されており、前記支持部材の縁の先端には付勢部が設けられ当該付勢部で前記導光部を付勢しており、前記支持部材の前記付勢部の近傍には支持部が設けられ当該支持部で前記表示部の裏面を支持していること
を特徴とする請求項１に記載の情報表示用照明装置。
【請求項３】
前記第２の収納手段において、前記フレームの一端には回動部が形成され、当該回動部が前記第１の収納手段の回動支持部に係合し、前記フレームの他端には付勢部が形成され当該付勢部が前記表示部を付勢し、前記フレームは略Ｌ字状に形成され、前記他端の前記付勢部が前記表示部に付勢した状態で、前記導光部の厚み方向に所定の空間を形成し、当該所定の空間に前記固定部材の一端が延出すること
を特徴とする請求項１又は２のいずれかに記載の情報表示用照明装置。
【請求項４】
前記弾性手段は、屈折部又は湾曲部を少なくとも１箇所以上有し、前記屈折部又は湾曲部を介して少なくとも２つ以上の面を有する板状から形成され、
前記フレームの他端が前記表示部の外周を付勢している場合に、前記フレームの他端が前記表示部の外周から離れる方向に前記フレームを回動させると、前記弾性手段の一面が前記第１の収納手段に設けられた凸部に当接した状態から、前記弾性手段の前記屈折部又は湾曲部が前記凸部を越えて、前記弾性手段の他面が前記凸部に当接し、前記フレームの他端が前記表示部の外周から離間した状態で停止すること
を特徴とする請求項１に記載の情報表示用照明装置。
【請求項５】
前記フレームの他端が前記表示部の外周から離間している場合に、前記フレームの他端が前記表示部の外周に接する方向に前記フレームを回動させると、前記弾性手段の他面が前記第１の収納手段に設けられた凸部に当接した状態から、前記弾性手段の前記屈折部又は湾曲部が前記凸部を越えて、前記弾性手段の一面が前記凸部に当接し、前記フレームの他端が前記表示部の外周に付勢した状態で停止すること
を特徴とする請求項１乃至４のいずれかに記載の情報表示用照明装置。
【請求項６】
前記筐体部は、前記第１の収納手段に収納された前記導光部を、前記第２の収納手段に収納された前記表示部と離間させて配設していること
を特徴とする請求項１に記載の情報表示用照明装置。
【請求項７】
前記第１の収納手段は、前記導光部及び前記光源部を離間した状態で、前記導光部及び前記光源部をそれぞれ配設していること
を特徴とする請求項１乃至請求項６のいずれか一項に記載の情報表示用照明装置。
【請求項８】
複数の前記フレームは、隣接し互いに接触する箇所に緩衝部材が配設されていること
を特徴とする請求項１乃至請求項５のいずれか一項に記載の情報表示用照明装置。
【請求項９】
前記弾性手段の両端又は片端に、該弾性手段の動作を一定の方向に規制する規制部材が係合されていること
を特徴とする請求項１乃至請求項５のいずれか一項に記載の情報表示用照明装置。
【請求項１０】
前記弾性手段は、少なくとも１箇所以上屈折又は湾曲させた板状の金属板であること
を特徴とする請求項１、請求項２、請求項３、請求項４、請求項５、及び請求項８のいずれか一項に記載の情報表示用照明装置。
【請求項１１】
前記表示部は、所定の情報が表された表示板の前方に配設され前記表示板を保護する保護板、及び前記表示板の後方に配設され前記表示板に拡散光を導入する拡散板を含むこと
を特徴とする請求項１に記載の情報表示用照明装置。
【請求項１２】
前記表示部は、所定の情報が表される表示板、前記表示板の前方に配設され前記表示板を保護する保護板、及び前記表示板の後方に配設され前記表示板に拡散光を導入する拡散板から成ること
を特徴とする請求項１に記載の情報表示用照明装置。
【請求項１３】
前記導光部は、前記凹状のパターン、前記凸状のパターン、又はそれらを組み合わせたパターンが、一主面、他主面、又は両主面に形成された導光板、及び前記導光板の後方に配設される反射板から成ること
を特徴とする請求項１に記載の情報表示用照明装置。
【請求項１４】
前記導光板は、前記一主面、前記他主面、又は前記両主面に超音波加工用ホーンが当接され、超音波の振動により前記一主面、前記他主面、又は前記両主面が部分的に溶融して、前記凹状のパターンが形成されていること
を特徴とする請求項１３に記載の情報表示用照明装置。
【請求項１５】
前記導光板は、前記一主面、前記他主面、又は前記両主面にレーザ光が集光され、集光された光の熱により前記一主面、前記他主面、又は前記両主面が部分的に溶融して、前記凹状のパターンが形成されていること
を特徴とする請求項１３に記載の情報表示用照明装置。
【請求項１６】
前記導光板は、成型加工により前記一主面、前記他主面、又は前記両主面に前記凹状のパターン、前記凸状のパターン、又はそれらを組み合わせたパターンが形成されていること
を特徴とする請求項１３に記載の情報表示用照明装置。
【請求項１７】
前記導光板は、シルク印刷により前記一主面、前記他主面、又は前記両主面に前記凸状のパターンが形成されていること
を特徴とする請求項１３に記載の情報表示用照明装置。
【請求項１８】
前記導光板は、前記一主面、前記他主面、又は前記両主面に硝子コーティング剤が塗布、又は透明樹脂が被覆されていること
を特徴とする請求項１３乃至請求項１７のいずれか一項に記載の情報表示用照明装置。
【発明の詳細な説明】
【技術分野】
【０００１】
本発明は、所定の情報が表された広告パネル等を容易に交換することができる情報表示用の照明装置に関する。
【背景技術】
【０００２】
従来、例えば広告パネルを設けた照明装置に関して、導光板の表面に乳濁のアクリル板を配置し、且つ導光板の裏面に反射板を配置した上で、乳濁のアクリル板の前面に設けた広告パネルを該導光板により発光させる構成が有る。この様な照明装置では、装置の外周部に配設されたフレームを回動させて開閉することにより、広告パネルを装置に着脱して交換する（例えば、特許文献１参照。）。
【先行技術文献】
【特許文献】
【０００３】
【特許文献１】特開２００９−１７６６０４号公報
【発明の概要】
【発明が解決しようとする課題】
【０００４】
しかしながら、前述の様な構成では、広告パネルを交換することは容易でも、照明装置の構造が複雑で重量及び厚みがそれぞれ大きいことから、該照明装置の設置場所が制約を受ける問題が有った。
【０００５】
そこで、本発明は前述の技術的な課題に鑑み、装置に装着した広告パネル等をドライバー等の工具を一切用いることなく容易に短時間で交換することができ、且つ装置の周囲に広告パネル等の交換作業用の空間が不要であり、さらに装置全体を軽量及び薄型に構成した情報表示用照明装置の提供を目的とする。
【課題を解決するための手段】
【０００６】
前述の課題を解決すべく、本発明に係る情報表示用照明装置は、所定の情報を表示させる表示部と、前記表示部の裏面に隣接し前記表示部に向けて拡散光を導出する凹状のパターン、凸状のパターン、又はそれらを組み合わせたパターンが設けられた導光部と、前記導光部の側面に隣接し前記導光部に向けて光を照射する光源が配設された光源部とをそれぞれ収納する筐体部を有し、前記筐体部は、前記導光部及び前記光源部を固定して収納する第１の収納手段と、弾性手段を備えたフレームの一端が前記第１の収納手段に回動可能に係合し且つ前記フレームの他端が前記表示部の外周を着脱可能に付勢して収納する第２の収納手段と、から成り、前記第１の収納手段は、前記導光部を挟み込んで収納する支持部材及び付勢部材からなり、前記支持部材及び付勢部材は固定部材により接合されており、前記第２の収納手段の前記第１の収納手段に対する回動中心は、前記固定部材の近傍に設けられていることを特徴とする。
【発明の効果】
【０００７】
本発明に係る情報表示用照明装置によれば、装置に装着した広告パネル等をドライバー等の工具を一切用いることなく容易に短時間で交換することができ、且つ装置の周囲に広告パネル等の交換作業用の空間が不要であり、さらに装置全体を軽量及び薄型に構成することができる。
【図面の簡単な説明】
【０００８】
【図１】本発明の第１の実施形態の情報表示用照明装置を示す斜視図であり、（ａ）は情報表示用照明装置に保護板、表示板、及び拡散板を収納している状態を示す斜視図、（ｂ）は情報表示用照明装置から保護板及び表示板を取り出すためにフレームを所定の方向に回動させた状態を示す斜視図、（ｃ）は情報表示用照明装置から保護板及び表示板を取り出した状態を示す斜視図である。
【図２】本発明の第１の実施形態の情報表示用照明装置を示す断面図であり、図１のＡ−Ａ'断面にそれぞれ対応し、（ａ）は情報表示用照明装置に保護板、表示板、及び拡散板を収納している状態を示す斜視図、（ｂ）は情報表示用照明装置から保護板及び表示板を取り出すためにフレームを所定の方向に回動させた状態を示す斜視図、（ｃ）は情報表示用照明装置から保護板及び表示板を取り出した状態を示す斜視図である。
【図３】本発明の第１の実施形態の情報表示用照明装置に保護板、表示板、及び拡散板を収納している状態を示す断面図であり、図１のＢ−Ｂ'断面に対応し、且つフレームを開いた状態において、図１では図示していない光源部の各構成を導光部の導光板越しに透視して示している。
【図４】本発明の第１の実施形態の情報表示用照明装置に保護板、表示板、及び拡散板を収納している状態を示す断面図であり、図１のＣ−Ｃ'断面に対応し、且つフレームを開いた状態において、図１では図示していない光源部の各構成を示している。
【図５】本発明の第１の実施形態の情報表示用照明装置を構成する表示部及び第１の収納手段の一部の一例を示す模式図であり、（ａ）は正面から視認した表示部及び第１の収納手段の一部を示す模式図、（ｂ）は側面から視認した表示部及び第１の収納手段の一部を示す模式図である。
【図６】本発明の第１の実施形態の情報表示用照明装置を構成する表示部及び第１の収納手段の一部の他の例を示す模式図であり、（ａ）は正面から視認した表示部及び第１の収納手段の一部を示す模式図、（ｂ）は側面から視認した表示部及び第１の収納手段の一部を示す模式図である。
【図７】本発明の第１の実施形態の情報表示用照明装置を構成する第２の収納手段のフレームに設けられた弾性手段及び該弾性手段の両端に係合した規制部材を示す斜視図である。
【図８】本発明の第１の実施形態の情報表示用照明装置を構成する第２の収納手段のフレームの端部に設けられた緩衝部材の一例を示す斜視図であり、（ａ）は円柱形状に形成された緩衝部材の例を示す斜視図、（ｂ）は略コの字形状に形成された緩衝部材の例を示す斜視図である。
【図９】本発明の第１の実施形態の情報表示用照明装置を示す要部断面図であり、（ａ）乃至（ｆ）はそれぞれ情報表示用照明装置に表示板及び拡散板を取り付ける状態を順に示す要部断面図である。
【発明を実施するための形態】
【０００９】
以下、本発明の情報表示用照明装置に係る好適な実施形態について、図面を参照しながら説明する。なお、本発明の情報表示用照明装置は、以下の記述に限定されるものではなく、本発明の要旨を逸脱しない範囲において、適宜変更可能である。また、以下の説明においては、先ず本発明の第１の実施形態の情報表示用照明装置に係る構成について図１乃至図８を参照しながら説明する。次に本発明の第１の実施形態の情報表示用照明装置に係る表示板及び拡散板の着脱動作について図９を参照しながら説明する。
【００１０】
［第１の実施形態］
先ず、本発明の第１の実施形態の情報表示用照明装置１に係る構成について、図１乃至図８を参照しながら具体的に説明する。
【００１１】
情報表示用照明装置１は、例えば図１や図３に示すように、所定の情報が表された表示部１０と、表示部１０に向けて拡散光を導出するパターンが設けられた導光部２０と、導光部２０に向けて光を照射する光源３１が配設された光源部３０と、上記の表示部１０、導光部２０、及び光源部３０をそれぞれ収納する筐体部４０から構成される。以下、情報表示用照明装置１を構成する表示部１０、導光部２０、光源部３０、及び筐体部４０について説明する。
【００１２】
情報表示用照明装置１を構成する表示部１０は、所定の情報が表されている。この様な表示部１０は、例えば図１（ｃ）に示すように、少なくとも保護板１１、表示板１２、及び拡散板１３から構成され、表示板付勢部材１４、固定板１５、及び固定部材１６を設けることができる。以下、表示部１０の構成について説明する。保護板１１は、後述する表示板１２を粉塵等から保護するものであり、例えばアクリル板やガラス板を用いる。また、表示板１２は、情報表示用照明装置１の使用者が適宜用意するものであり、例えば所定の情報が表されたＯＨＰフィルムや紙材に相当する。ここで、表示板１２の所定の情報は、例えば展示会場で開催されるセミナーの内容、百貨店で販売される特価品の食料品の一覧、又は駅構内で利用される電車の到着時刻である。なお、表示板１２は、情報表示用照明装置１に付属品として備え付けられた無地のＯＨＰフィルムとし、情報表示用照明装置１の使用者が所定の情報を再生可能に繰り返し書き込んで用いる構成としても良い。また、拡散板１３は、後述する導光部２０から導出された拡散光を更に拡散させて、該拡散光を均一な面光源として表示板１２に照射するものであり、例えば乳半板を用いる。
【００１３】
また、情報表示用照明装置１を構成する表示部１０に関し、例えば図５や図１（ｃ）に示すように、表示板付勢部材１４は、表示板１２を拡散板１３に対して付勢させた状態で着脱可能に固定するものであり、後述する固定板１５と異なる磁性を帯びたマグネットプレートを用いる。なお、図５（ａ）では、図５（ｂ）で示す保護板１１、表示板１２、及び表示板付勢部材１４の図示を省略している。また、固定板１５は、拡散板１３を導光部付勢部材５２の付勢部５２Ａに固定し、且つ対向して設けられた表示板付勢部材１４を磁力により引き付けることで表示板１２を拡散板１３に対して付勢させるものである。この様な固定板１５は、例えば鉄から成り板状から形成され、拡散板１３の端部の一部を切り欠いて形成した切り欠き部１３Ａに装着される。また、固定部材１６は、固定板１５を拡散板１３を介して導光部付勢部材５２の付勢部５２Ａに接合するための部材であり、具体的には例えば螺子であり、導光部付勢部材５２の付勢部５２Ａに形成された螺子溝５２Ｃに螺子留めされる。
【００１４】
また、情報表示用照明装置１を構成する表示部１０に関し、例えば図６に示すように、フック１７を用いて、表示板１２を拡散板１３に対して付勢させた状態で着脱可能に固定する構成としても良い。なお、図６（ａ）では、図６（ｂ）で示す保護板１１及び表示板１２の図示を省略している。具体的には、フック１７は、表示板１２を拡散板１３に対して付勢させた状態で着脱可能に固定するものであり、例えばプラスチックスから成り、略コの字状に形成されている。この様なフック１７は、導光板１３に対して図６（ｂ）の矢印の方向に挿入した後、固定部材１６を拡散板１３の端部に形成した孔部１３Ｂに層通して螺子溝５２Ｃに螺子留めすることにより、拡散板１３とともに導光部付勢部材５２に固定される。ここで、拡散板１３の厚みよりも、フック１７の内部の厚みの方が大きいことから、図６（ｂ）に示す拡散板１３の左側とフック１７との間に隙間が生じる。該隙間に、表示板１２を挿入することにより、表示板１２を拡散板１３に対して付勢させた状態で着脱可能に固定することができる。
【００１５】
情報表示用照明装置１を構成する導光部２０は、表示部１０の裏面に隣接し表示部１０に向けて拡散光を導出する凹状のパターン、凸状のパターン、又はそれらを組み合わせたパターンが設けられている。この様な導光部２０は、例えば図２に示すように、導光板２１及び反射部材２２から構成される。以下、導光部２０の構成について説明する。導光板２１は、例えばアクリル樹脂板やメタクリル樹脂板から成り、複数のパターンが形成された所定の大きさの板状部から形成される。具体的には、導光板２１は、例えば１００ｍｍ×１００ｍｍ×厚み４ｍｍからＢ０版サイズ相当の１４５０ｍｍ×１０３０ｍｍ×厚み１２ｍｍのサイズから成る。ここで、導光板２１の一主面、他主面、又は両主面には、凹状のパターン、凸状のパターン、又はそれらを組み合わせたパターンが形成されている。なお、導光板２１の一主面は表示部１０の拡散板１３に対向して配設される。また、パターンは、例えば１．２、１．５、２．０、又は８．０ｍｍ等のピッチで導光板２１の各主面に対してマトリクス状に形成されている。この様な導光板２１は、側面部から照射された光により、各主面に形成された凹状のパターン又は凸状のパターンで拡散光が発生し、該拡散光を各主面から略均一な面光源として導出させる。
【００１６】
また、情報表示用照明装置１を構成する導光部２０に関し、導光板２１は、例えば超音波加工、レーザ加工、成型加工、シルク印刷等を用いて、該導光板２１の主面にパターンを形成することができる。具体的には、超音波加工の場合には、導光板２１用の基板の一主面、他主面、又は両主面に、超音波加工用ホーンが当接され、超音波の振動により各主面が部分的に溶融して、凹状のパターンが形成される。また、レーザ加工の場合には、導光板２１用の基板の一主面、他主面、又は両主面に、レーザ光が集光され、集光された光の熱により各主面が部分的に溶融して、凹状のパターンが形成される。同様に、成型加工の場合には、例えば金型と射出成型機を用いて、導光板２１の一主面、他主面、又は両主面に、凹状のパターン、凸状のパターン、又はそれらを組み合わせたパターンが一体成型される。同様に、シルク印刷の場合には、例えば所定の孔が複数開口した版を導光板２１用の基板に密着され、版の上部から樹脂等が孔に流し込まれ硬化することにより、導光板２１の一主面、他主面、又は両主面に凸状のパターンが形成される。
【００１７】
さらに、情報表示用照明装置１を構成する導光部２０に関し、情報表示用照明装置１は室外に配設されることがあり、且つ情報表示用照明装置１に設けられた表示部１０は随時交換する構成であることから、導光板２１の一主面、他主面、又は両主面に、防水、防汚、及び防塵等の機能を有する硝子コーティング剤を塗布、又は透明樹脂を被覆しても良い。また、反射板２２は、例えば可視光領域の光に対して反射率の高い板状に形成された金属板から成る。この様な構成とすることにより、導光板２１の他主面から導出された拡散光が、反射板２２により反射されて導光板２１に入射した後、該入射光が導光板２１の一主面から導出される。したがって、導光部２０に反射板２２を設けない場合と比較して、導光板２１の一主面から導出される拡散光の光量を増大させることができる。また、導光板２１の他主面に例えば可視光領域の光に対して反射率の高い反射膜を被覆しても良い。
【００１８】
情報表示用照明装置１を構成する光源部３０は、導光部２０の側面に隣接し導光部２０に向けて光を照射する光源３１が配設されている。この様な光源部３０は、例えば図３及び図４に示すように、光源３１、基板３２、及び電源ケーブル３３から構成され、且つ電源ケーブル３３の一端に電源ユニットＤが接続されている。また、光源部３０は、図４に示すように、導光部２０の導光板２１の側面に対向するように、導光部支持部材５１の光源支持部５１Ｄに固定されている。なお、図３では、光源部３０の各構成を導光部２０の導光板２１越しに透視して示している。以下、光源部３０の構成について説明する。光源３１は、導光板２１の側面に隣接して設けられるように、例えば１個以上のＬＥＤから構成される。該ＬＥＤは、白色、赤色、橙色、黄色、緑色、青色、藍色、又は紫色のいずれか１色もしくはそれらの組み合わせたＬＥＤから成る。ここで、光源３１に駆動電流を印加してＬＥＤ光を導光板２１の側面に照射させると、該ＬＥＤ光が導光板２１の各主面に形成された各パターンで拡散光が発生する。なお、光源３１には、例えば蛍光管、冷陰極管、又はネオン管を用いても良い。
【００１９】
また、情報表示用照明装置１を構成する光源部３０に関し、基板３２は、例えばガラエポ基板から成り、光源３１及び図示せぬ電流保護抵抗が実装されている。なお、基板３２は、導光部支持部材５１の光源支持部５１Ｄに対して、例えば図示せぬ螺子を用いて螺子留めされている。また、電源ケーブル３３は、情報表示用照明装置１の外部から光源３１の駆動電力を供給するためのケーブルである。また、電源ユニットＤは、光源３１の定格駆動電流及び駆動電圧を満たす駆動電源を該光源３１に供給する電源であり、電源ケーブル３３の一端に接続されている。具体的には、電源ユニットＤは建物等の室内外に配設された電源コンセント又は蓄電池等に相当する。
【００２０】
情報表示用照明装置１を構成する筐体部４０は、表示部１０、導光部２０、及び光源部３０をそれぞれ収納する。この様な筐体部４０は、例えば図２に示すように、第１の収納手段５０及び第２の収納手段６０から構成される。ここで、第１の収納手段５０は、導光部２０及び光源部３０を固定して収納する。また、第２の収納手段６０は、第１の収納手段５０と回動可能に係合し弾性手段６２を備えたフレーム６１により表示部１０の外周を着脱可能に付勢して収納する。以下、筐体部４０について、第１の収納手段５０に関する構成、第２の収納手段６０に関する構成の順で説明する。
【００２１】
また、情報表示用照明装置１を構成する筐体部４０に関し、第１の収納手段５０は、導光部支持部材５１、導光部付勢部材５２、及び固定部材５３から構成される。以下、第１の収納手段５０の構成について説明する。第１の収納手段５０の導光部支持部材５１は、例えばアルミニウムから成り、図２（ａ）に示すように、導光部２０の反射板２２の裏面側の外周部を支持するように、内部が開口し縁を有する矩形状の枠で形成されている。なお、導光部支持部材５１は、内部が開口した形状に限定されず、矩形状の板で形成しても良い。また、この様な導光部支持部材５１は、導光部２０の反射板２２の裏面側の外周部を縁で支持する矩形状の枠から成る導光部支持部５１Ａと、導光部支持部５１Ａの枠の各辺の少なくとも１辺に第２の収納手段６０のフレーム６１を回動可能に係合する半円筒形状から成る回動支持部５１Ｂと、回動支持部５１Ｂの一端に設けられ第２の収納手段６０の弾性手段６２と当接する凸形状から成る凸部５１Ｃが、一体に形成されている。
【００２２】
同様に、情報表示用照明装置１を構成する筐体部４０に関し、第１の収納手段５０の導光部付勢部材５２は、例えば図２（ａ）に示すように、例えばアルミニウムから成り、導光部２０の導光板２１の外周部を付勢するように、内部が開口し縁を有する矩形状の枠で形成されている。なお、導光部支持部材５１の縁の先端に設けられた付勢部５２Ａで、導光部２０の導光板２１を付勢している。また、付勢部５２Ａの近傍に設けられた支持部５２Ｂが、表示部１０の拡散板１３の裏面側を支持している。さらに、導光部支持部材５１の側面部の片側又は両側には、光源部３０の基板３２が配設されている。また、第１の収納手段５０の固定部材５３は、導光部２０を挟み込んで収納した導光部支持部材５１及び導光部付勢部材５２を接合するための部材であり、具体的には例えば螺子である。
【００２３】
また、情報表示用照明装置１を構成する筐体部４０に関し、第２の収納手段６０は、例えば図２（ａ）に示すように、フレーム６１、弾性手段６２、固定部材６３、規制部材６４、固定部材６５、及び緩衝部材６６から構成される。以下、第２の収納手段６０の構成について説明する。第２の収納手段６０のフレーム６１は、例えばアルミニウムから成り、略Ｌ字状に形成されている。また、フレーム６１の一端に形成された回動部６１Ｂは第１の収納手段５０の回動支持部５１Ｂに回動可能に係合され、且つフレーム６１の他端に形成された付勢部６１Ａは表示部１０の保護板１１を付勢している。また、表示部１０の拡散板１３の裏面側が、第１の収納手段５０の導光部付勢部材５２の支持部５２Ｂに支持されている。この様なフレーム６１は、矩形状の枠から形成された導光部支持部５１Ａの各辺の少なくとも１辺に設けられる。
【００２４】
同様に、情報表示用照明装置１を構成する筐体部４０に関し、第２の収納手段６０の弾性手段６２は、例えば板状に形成された金属板であり、いわゆる板バネである。この様な弾性手段６２は、所定の角度になるようにＬ字状に屈折させた屈折部６２Ｂを少なくとも１箇所以上有し、該屈折部６２Ｂを介して少なくとも一面６２Ａ及び他面６２Ｃの２つの面を有する。なお、弾性手段６２には、前述したＬ字状に屈折させた屈折部に換えて、所定の曲率半径になるよう湾曲させた湾曲部を設けても良い。ここで、例えば図２（ａ）に示すように、弾性手段６２の一面６２Ａは後述する固定部材６３を用いてフレーム６１に固定され、且つ第２の収納手段６０の導光部支持部材５１に形成された凸部５１Ｃに当接している。また、第２の収納手段６０の固定部材６３は、弾性手段６２をフレーム６１に接合するための部材であり、具体的には例えば螺子である。
【００２５】
同様に、情報表示用照明装置１を構成する筐体部４０に関し、図７に示すように、第２の収納手段６０の規制部材６４は、例えばＳＵＳ３０４から成り、略コの字状に形成された板金である。また、規制部材６４は、導光部支持部材５１に固定されている。この様な規制部材６４は、フレーム６１を開閉した際に、弾性手段６２が斜行して位置ずれを生じないよう動作を一定の方向に規制するために、弾性手段６２の両端に係合されている。なお、規制部材６４は、全ての弾性手段６２に係合して設ける必要はなく、一部の弾性手段６２にのみ係合して設けても良い。同様に、規制部材６４は、弾性手段６２の片端にのみ係合する構成としても良い。また、第２の収納手段６０の固定部材６５は、規制部材６４を導光部支持部材５１に固定するための部材であり、具体的には例えば打ち込みタイプの固定ピンである。
【００２６】
同様に、情報表示用照明装置１を構成する筐体部４０に関し、図１に示すように、第２の収納手段６０の緩衝部材６６は、例えばゴム又は樹脂等から成り、フレーム６１を閉めた際に、隣接するフレーム６１が互いに接触する箇所に配設されている。具体的には、図８（ａ）に示すように、例えばフレーム６１の端部に形成された略半円状の溝部６１Ｃに、円柱形状に形成された緩衝部材６６'を圧入して配設されている。また、図８（ｂ）に示すように、例えばフレーム６１の端部に形成された矩形状の端部６１Ｄに、略コの字形状に形成された緩衝部材６６''を被せて設けても良い。この様な緩衝部材６６により、フレーム６１を閉める際にフレーム６１の端部に指先を挟んで裂傷等を負うことを防止し、且つフレーム６１を閉めた時の表示部１０に対する衝撃を和らげ、更にフレーム６１を閉めた後の情報表示用照明装置１の密閉性を向上させる。
【００２７】
なお、情報表示用照明装置１を構成する筐体部４０に関し、該筐体部４０は、第１の収納手段５０に収納された導光部２０を、第２の収納手段６０に収納された表示部１０と所定の距離だけ離間させて配設している。したがって、導光部２０の導光板２１の主面に形成されたパターンで発生した拡散光が十分に拡散して均一になった状態で、該拡散光を表示部１０に入射させることができる。また、第１の収納手段５０は、導光部２０及び光源部３０を離間した状態で、導光部２０及び光源部３０をそれぞれ配設していることから、例えば光源部３０のみを容易に交換することができる。
【００２８】
次に、本発明の第１の実施形態の情報表示用照明装置１に係る保護板１１及び表示板１２の着脱動作について、図９を参照しながら具体的に説明する。
【００２９】
情報表示用照明装置１に表示部１０を取り付ける動作に関し、図９（ａ）から図９（ｆ）の順に説明する。図９（ａ）に示す状態では、表示部１０の保護板１１及び表示板１２が、情報表示用照明装置１から取り外されている。次に、図９（ｂ）に示す状態では、表示板付勢部材１４を用いて表示板１２を拡散板１３に固定している。また、保護板１１を表示板１２に当接させている。次に、図９（ｃ）に示す状態では、フレーム６１が回動部６１Ｂを中心に時計回りに回動されて、弾性手段６２が湾曲した状態で、該弾性手段６２の他面６２Ｃが導光部支持部材５１の凸部５１Ｃに当接している。次に、図９（ｄ）に示す状態では、フレーム６１が回動部６１Ｂを中心に時計回りに更に回動されて、弾性手段６２が更に湾曲した状態で、該弾性手段６２の屈折部６２Ｂが導光部支持部材５１の凸部５１Ｃに当接している。ここで、図９（ｄ）の状態に至る前に、フレーム６１の回動を止めると、湾曲した弾性手段６２が弾性変形して元の形状に戻ることにより、図９（ｂ）の状態に戻る。
【００３０】
また、情報表示用照明装置１に表示部１０を取り付ける動作に関し、図９（ｅ）に示す状態では、フレーム６１が回動部６１Ｂを中心に時計回りに更に回動されて、弾性手段６２の湾曲が緩和された状態で、該弾性手段６２の一面６２Ａが導光部支持部材５１の凸部５１Ｃに当接している。次に、図９（ｆ）に示す状態では、フレーム６１が回動部６１Ｂを中心に時計回りに更に回動されて、弾性手段６２の湾曲が更に緩和された状態で、該弾性手段６２の一面６２Ａが導光部支持部材５１の凸部５１Ｃに当接し、且つフレーム６１の他端に形成された付勢部６１Ａが保護板１１を付勢している。ここで、図９（ｄ）の状態を超えて、フレーム６１を回動部６１Ｂを中心に時計回りに回動させると、フレーム６１に力を加えなくても、湾曲された弾性手段６２が弾性変形して元の形状に戻ることにより、図９（ｆ）の状態に至る。なお、情報表示用照明装置１から表示部１０を取り外す場合には、図９（ｆ）から図９（ａ）に係る動作を順に行う。
【００３１】
以上、第１の実施形態に係る情報表示用照明装置１によれば、表示部１０を交換する場合、照明装置の左右及び上下方向に干渉防止用の空間が不要であり、第２の収納手段６０のフレーム６１を回動部６１Ｂを中心に時計回り又は反時計回りに回動させるだけで、容易に且つ短時間で表示部１０を交換することができる。
【００３２】
また、第１の実施形態に係る情報表示用照明装置１によれば、第２の収納手段６０のフレーム６１の回動部６１Ｂが、情報表示用照明装置１の後部に設けられた第１の収納手段５０の回動支持部５１Ｂに係合されているため、第２の収納手段６０のフレーム６１を回動させた時の付勢部６１Ａのストロークを大きくすることが可能となり、情報表示用照明装置１から容易に且つ短時間で表示部１０を着脱することができる。
【００３３】
さらに、第１の実施形態に係る情報表示用照明装置１によれば、第１の収納手段５０の導光部付勢部材５２の支持部５２Ｂを用いて表示部１０の拡散板１３の裏面側を支持した上で、第２の収納手段６０のフレーム６１の付勢部６１Ａを用いて表示部１０の保護板１１を付勢する構成により、情報表示用照明装置１の筐体部４０の構造を簡素化することが可能となり、該情報表示用照明装置１を軽量化及び薄型化することができる。
【符号の説明】
【００３４】
１  情報表示用照明装置
１０  表示部
１１  保護板
１２  表示板
１３  拡散板
１３Ａ  切り欠き部
１３Ｂ  孔部
１４  表示板付勢部材
１５  固定板
１６  固定部材
１７  フック
２０  導光部
２１  導光板
２２  反射板
３０  光源部
３１  光源
３２  基板
３３  電源ケーブル
４０  筐体部
５０  第１の収納手段
５１  導光部支持部材
５１Ａ  導光部支持部
５１Ｂ  回動支持部
５１Ｃ  凸部
５１Ｄ  光源支持部
５２  導光部付勢部材
５２Ａ  付勢部
５２Ｂ  支持部
５２Ｃ  螺子溝
５３  固定部材
６０  第２の収納手段
６１  フレーム
６１Ａ  付勢部
６１Ｂ  回動部
６１Ｃ  溝部
６１Ｄ  端部
６２  弾性手段
６２Ａ  一面
６２Ｂ  屈折部
６２Ｃ  他面
６３  固定部材
６４  規制部材
６５  固定部材
６６  緩衝部材
Ｄ  電源ユニット
【図１】
0005483700.tif 000002
【図２】
0005483700.tif 000003
【図３】
0005483700.tif 000004
【図４】
0005483700.tif 000005
【図５】
0005483700.tif 000006
【図６】
0005483700.tif 000007
【図７】
0005483700.tif 000008
【図８】
0005483700.tif 000009
【図９】
0005483700.tif 000010